【手続補正書】
【提出日】平成21年1月15日(2009.1.15)
【手続補正１】
【補正対象書類名】特許請求の範囲
【補正対象項目名】全文
【補正方法】変更
【補正の内容】
【特許請求の範囲】
【請求項１】
データにマークを付加して印刷装置に印刷させる文書管理装置において、
複数種のマークがグループごとに分類され、当該グループに属するマークのうちの１つが筆頭マークとして設定されたマーク情報管理テーブルを保持するマーク情報保持手段と、
前記データの印刷指示を行う際に前記マーク情報管理テーブルを参照し、当該データに付加された複数種のマークを前記筆頭マークに置換するマーク置換手段とを備えることを特徴とする文書管理装置。
【請求項２】
前記データのフォーマットと前記データに付加可能なマークの格納場所と当該マークを付加すべきプログラムが設定された押印サービステーブルを保持するサービステーブル保持手段と、
前記データの印刷指示を行う際に前記押印サービステーブルを参照し、前記筆頭マークを付加すべきプログラムを決定する決定手段とを更に備えることを特徴とする請求項１記載の文書管理装置。
【請求項３】
前記マーク情報管理テーブルを編集するためのマーク情報管理テーブル編集手段を更に備えることを特徴とする請求項１又は２記載の文書管理装置。
【請求項４】
前記マーク情報管理テーブル編集手段は、前記データに付加された複数種のマークのうち、前記マーク情報管理テーブルに登録されていないものを新規マークとして登録することを特徴とする請求項３記載の文書管理装置。
【請求項５】
前記マーク情報管理テーブル編集手段は、ユーザにより定義されたマークを前記マーク情報管理テーブルに登録することを特徴とする請求項３又は４記載の文書管理装置。
【請求項６】
前記マークを付加すべきプログラムとしてプリンタドライバが設定されているときは、当該プリンタドライバがＡＰＩを用いてマークを出力するようデータを処理する一方、前記マークを付加すべきプログラムとしてアプリケーションが設定されているときは、当該アプリケーションがＡＰＩを用いてマークを出力するようデータを処理することを特徴とする請求項１乃至５のいずれか１項に記載の文書管理装置。
【請求項７】
データにマークを付加して印刷装置に印刷させる文書管理装置の文書管理方法において、
複数種のマークがグループごとに分類され、当該グループに属するマークのうちの１つが筆頭マークとして設定されたマーク情報管理テーブルを保持するマーク情報保持ステップと、
前記データの印刷指示を行う際に前記マーク情報管理テーブルを参照し、当該データに付加された複数種のマークを前記筆頭マークに置換するマーク置換ステップとを備えることを特徴とする文書管理方法。
【請求項８】
前記データのフォーマットと前記データに付加可能なマークの格納場所と当該マークを付加すべきプログラムが設定された押印サービステーブルを保持するサービステーブル保持ステップと、
前記データの印刷指示を行う際に前記押印サービステーブルを参照し、前記筆頭マークを付加すべきプログラムを決定する決定ステップとを更に備えることを特徴とする請求項７記載の文書管理方法。
【請求項９】
前記マーク情報管理テーブルを編集するマーク情報管理テーブル編集ステップを更に備えることを特徴とする請求項７又は８記載の文書管理方法。
【請求項１０】
前記マーク情報管理テーブル編集ステップは、前記データに付加された複数種のマークのうち、前記マーク情報管理テーブルに登録されていないものを新規マークとして登録することを特徴とする請求項９記載の文書管理方法。
【請求項１１】
前記マーク情報管理テーブル編集ステップは、ユーザにより定義されたマークを前記マーク情報管理テーブルに登録することを特徴とする請求項９又は１０記載の文書管理方法。
【請求項１２】
前記マークを付加すべきプログラムとして、プリンタドライバが設定されているときは、当該プリンタドライバが所定のＡＰＩを用いてマークを出力するようデータを処理する一方、前記マークを付加すべきプログラムとしてアプリケーションが設定されているときは、当該アプリケーションが所定のＡＰＩを用いてマークを出力するようデータを処理することを特徴とする請求項７乃至１１のいずれか１項に記載の文書管理方法。
【請求項１３】
請求項７乃至１２のいずれか１項に記載の文書管理方法をコンピュータに実行させるためのコンピュータに読み取り可能なプログラム。
【請求項１４】
所定のマークが付加されたデータを情報処理装置から印刷装置に送信して印刷を行う文書管理システムにおいて、
前記情報処理装置は、複数種のマークがグループごとに分類され、当該グループに属するマークのうちの１つが筆頭マークとして設定されたマーク情報管理テーブルを保持するマーク情報保持手段と、
前記データのフォーマットと前記データに付加可能なマークの格納場所と当該マークを付加すべきプログラムが設定された押印サービステーブルを保持するサービステーブル保持手段と、
前記データの印刷指示を行う際に前記マーク情報管理テーブルを参照し、当該データに付加された複数種のマークを前記筆頭マークに置換するマーク置換手段と、
前記押印サービステーブルを参照し、前記筆頭マークを付加すべきプログラムを決定する決定手段とを備えることを特徴とする文書管理システム。
【請求項１５】
データを出力する複数のサービスを実行する実行手段と、
前記複数のサービスの中からマークを付与するサービスを決定する決定手段と、
前記決定手段により決定されたサービスに対して、前記マークを付与して前記データを出力するよう出力処理を制御する出力制御手段とを備えることを特徴とする情報処理装置。
【請求項１６】
前記サービスには、アプリケーションデータを出力するアプリケーションプログラムと、前記アプリケーションプログラムから出力されたアプリケーションデータに基づき印刷データを出力するプリンタドライバと、前記印刷データからビットマップを出力する印刷装置における画像形成サービスのいずれかが含まれることを特徴とする請求項１５記載の情報処理装置。
【請求項１７】
前記決定手段は、前記マークの種別を特定し、特定した種別に応じてマークを付与するサービスを決定することを特徴とする請求項１５又は１６記載の情報処理装置。
【請求項１８】
前記決定手段は、前記複数のサービスにおいて、前記種別が特定されたマークをデータに対して付与するようそれぞれ設定されていた場合に、前記マークをデータに対して付与するよう設定されている複数のサービスの中から、前記マークを付与するサービスを決定
することを特徴とする請求項１７記載の情報処理装置。
【請求項１９】
データを出力する複数のサービスを実行する実行ステップと、
前記複数のサービスの中からマークを付与するサービスを決定する決定ステップと、
前記決定ステップにて決定されたサービスに対して、前記マークを付与して前記データを出力するよう出力処理を制御する出力制御ステップとを備えることを特徴とする情報処理方法。
【請求項２０】
前記サービスには、アプリケーションデータを出力するアプリケーションプログラムと、前記アプリケーションプログラムから出力されたアプリケーションデータに基づき印刷データを出力するプリンタドライバと、前記印刷データからビットマップを出力する印刷装置における画像形成サービスのいずれかが含まれることを特徴とする請求項１９記載の情報処理方法。
【請求項２１】
前記決定ステップは、前記マークの種別を特定し、特定した種別に応じてマークを付与するサービスを決定することを特徴とする請求項１９又は２０記載の情報処理方法。
【請求項２２】
前記決定ステップは、前記複数のサービスにおいて、前記種別が特定されたマークをデータに対して付与するようそれぞれ設定されていた場合に、前記マークをデータに対して付与するよう設定されている複数のサービスの中から、前記マークを付与するサービスを決定することを特徴とする請求項２１記載の情報処理方法。
【請求項２３】
データを出力する複数のサービスを実行する実行ステップと、
前記複数のサービスの中からマークを付与するサービスを決定する決定ステップと、
前記決定ステップにて決定されたサービスに対して、前記マークを付与して前記データを出力するよう制御する出力制御ステップとをコンピュータに実行させることを特徴とする制御プログラム。